(57)【要約】  【課題】外周形状が径方向の凹凸の繰り返し形状であるブレーキディスクの外周縁の角部に面取り面を形成する場合においても、所期の性能を維持しつつ製造コストの上昇を抑制することができる、実用性の高いブレーキディスクの製造方法及びブレーキディスクを提供する。  【解決手段】ブレーキディスク１のロータープレート２の外周形状５を、プレス成形により径方向の凹凸５ａ，５ｂの繰り返し形状とする外周プレス工程と、ロータープレート２の外周縁の角部２ｄに当接する斜面７ａを設けた金型７を押圧して角部２ｄを塑性変形させることにより面取り面６を成形する面取り工程とを備えた。【選択図】図１
2008232441.tif 000002
【特許請求の範囲】
【請求項１】
車輪と一体に回転するブレーキディスクの製造方法であって、前記ブレーキディスクのロータープレートの外周形状を、プレス成形により径方向の凹凸の繰り返し形状とする外周プレス工程と、前記外周プレス工程で成形された繰り返し形状を有するロータープレートの外周縁の角部に、前記繰り返し形状に対応して前記角部に当接する斜面を設けた金型を押圧し、前記角部を塑性変形させることにより前記繰り返し形状を有するロータープレートに面取り面を成形する面取り工程とを備えてなるブレーキディスクの製造方法。
【請求項２】
請求項１において、前記面取り工程後に、前記繰り返し形状を構成している凸部先端側の一部を、前記ロータープレートの回転中心と同心の円の円弧に合わせて機械加工し、その角部に前記金型による面取り面に連続する面取り面を削成する外周削成工程とを備えてなるブレーキディスクの製造方法。
【請求項３】
請求項２において、前記面取り工程及び前記外周削成工程の間に、前記ロータープレートの制動表面及び制動裏面を硬化させるための熱処理を行う熱処理工程を備えてなるブレーキディスクの製造方法。
【請求項４】
請求項１〜３のいずれかにおいて、前記面取り工程では、前記外周プレス工程のプレス成形により前記ロータープレートの外周縁の角部がだれていない側の角部のみに対して、前記金型により面取り面を成形するブレーキディスクの製造方法。
【請求項５】
請求項１〜４のいずれかにおいて、前記面取り工程が、前記外周プレス工程で成形された繰り返し形状を有するロータープレートの外周縁の角部に、前記繰り返し形状に対応して前記ロータープレート全周にわたり前記角部に当接する斜面を設けた金型を押圧し、前記角部を塑性変形させることにより前記繰り返し形状を有するロータープレート全周にわたって面取り面を成形するものであるブレーキディスクの製造方法。
【請求項６】
請求項１〜５のいずれかにおいて、前記面取り面の面取り長さを、前記外周プレス工程による前記ロータープレートの外周縁の角部のだれの大きさに合わせてなるブレーキディスクの製造方法。
【請求項７】
請求項１〜５のいずれかにおいて、前記ロータープレートの外周縁の角部からブレーキパッド当接面方向の面取り長さ及び該角部から外周端面方向の面取り長さを０．１ｍｍ以上２．０ｍｍ以下としてなるブレーキディスクの製造方法。
【請求項８】
請求項１〜５のいずれかにおいて、前記ロータープレートの外周縁の角部からブレーキパッド当接面方向の面取り長さ及び該角部から外周端面方向の面取り長さを０．１ｍｍ以上１．０ｍｍ以下としてなるブレーキディスクの製造方法。
【請求項９】
請求項１〜５のいずれかにおいて、前記ロータープレートの外周縁の角部からブレーキパッド当接面方向の面取り長さ及び該角部から外周端面方向の面取り長さを０．２ｍｍ以上０．７ｍｍ以下としてなるブレーキディスクの製造方法。
【請求項１０】
車輪と一体に回転するブレーキディスクであって、前記ブレーキディスクのロータープレートの外周縁に径方向に凹凸する凹凸部を周方向に沿って繰り返して形成し、前記凹凸部の角部にプレス成形により面取り面を設けてなるブレーキディスク。
【請求項１１】
請求項１０において、前記凹凸部の凸部の先端部に、凸部先端側の一部を前記ロータープレートの回転中心と同心の円の円弧に合わせて削成してなる削成外周面を形成し、この削成外周面の角部に削成により形成した面取り面を、前記プレス成形による面取り面に連続させて設けてなるブレーキディスク。
【請求項１２】
請求項１０又は１１において、前記凹凸部をプレス成形により形成し、凹凸部の角部がだれていない面側にプレスによる面取り面を形成し、凹凸部の角部がだれている面側を前記車輪に対する取付け面となしたブレーキディスク。
【請求項１３】
請求項１０〜１２のいずれかにおいて、前記面取り面の面取り長さを、前記プレス成形による前記ロータープレートの外周縁の角部のだれの大きさに合わせてなるブレーキディスク。
【請求項１４】
請求項１０〜１２のいずれかにおいて、前記ロータープレートの外周縁の角部からブレーキパッド当接面方向の面取り長さ及び該角部から外周端面方向の面取り長さを０．１ｍｍ以上２．０ｍｍ以下としてなるブレーキディスク。
【請求項１５】
請求項１０〜１２のいずれかにおいて、前記ロータープレートの外周縁の角部からブレーキパッド当接面方向の面取り長さ及び該角部から外周端面方向の面取り長さを０．１ｍｍ以上１．０ｍｍ以下としてなるブレーキディスク。
【請求項１６】
請求項１０〜１２のいずれかにおいて、前記ロータープレートの外周縁の角部からブレーキパッド当接面方向の面取り長さ及び該角部から外周端面方向の面取り長さを０．２ｍｍ以上０．７ｍｍ以下としてなるブレーキディスク。
【発明の詳細な説明】
【技術分野】
【０００１】
本発明は、自動二輪等に用いられるディスクブレーキ装置のブレーキディスクにおいて、外周形状が径方向の凹凸の繰り返し形状であるブレーキディスクの製造方法及びブレーキディスクの改良に関するものである。
【背景技術】
【０００２】
ディスクブレーキ装置は、小型かつ軽量であること、吸収エネルギーが大きいこと及び制動力が安定していること等から、自動二輪、乗用車又は小型トラック等のブレーキ装置として広く用いられている（例えば、特許文献１参照。）。このようなディスクブレーキ装置の主要構成部品として、ブレーキディスクがある。ブレーキディスクは、車輪と一体に回転して、このブレーキディスク両面へのブレーキパッドの押圧による制動力を前記車輪に伝達すると共に、制動時に生じる前記ブレーキパッドとの摩擦熱の放熱機能を有するものである。ブレーキディスクの外周形状として、通常多用される円形のもの（例えば、特許文献１参照。）の他に、径方向の凹凸の繰り返し形状であるもの（例えば、特許文献２及び特許文献３参照。）がある。
【特許文献１】日本国特開２００３−７４６０４号公報
【特許文献２】日本国意匠登録第１１７９０５８号公報
【特許文献３】国際公開 ＷＯ ０４／０４２２４７号公報
【発明の開示】
【発明が解決しようとする課題】
【０００３】
前記外周形状が径方向の凹凸の繰り返し形状であるブレーキディスクは、放熱性向上及び軽量化並びに意匠性向上等の観点から好ましいものであるが、このような外周形状のブレーキディスクはブレーキパッドの磨耗が大きいことや成形するための加工コストが上昇するという問題点がある。特に、安全面及び意匠面等の配慮から、ブレーキディスク外周縁の角部に面取り面を形成する場合において、外周形状が径方向の凹凸の繰り返し形状であるため、ＮＣ工作機械等の高価な加工機や専用の加工機等により長時間にわたる加工を行う必要がある。したがって、前記面取り面形成のための加工コストが大幅に上昇することになる。このようなことから、前記外周形状が径方向の凹凸の繰り返し形状であるブレーキディスクにおいては、前記放熱性向上及び軽量化並びに意匠性向上等の特徴を備えながらも、制動性能の耐久性面、製造コスト面から実用性に欠けるという問題点があった。
【０００４】
本発明は、前記のような問題点を解決するためになされたものであり、前記外周形状が径方向の凹凸の繰り返し形状であるブレーキディスクの外周縁の角部に面取り面を形成する場合においても、所期の性能を維持しつつ製造コストの上昇を抑制することができる、実用性の高いブレーキディスクの製造方法及びブレーキディスクを得ることを目的とする。
【課題を解決するための手段】
【０００５】
本発明に係るブレーキディスクの製造方法は、前記課題解決のために、車輪と一体に回転するブレーキディスクの製造方法であって、前記ブレーキディスクのロータープレートの外周形状を、プレス成形により径方向の凹凸の繰り返し形状とする外周プレス工程と、前記外周プレス工程で成形された繰り返し形状を有するロータープレートの外周縁の角部に、前記繰り返し形状に対応して前記角部に当接する斜面を設けた金型を押圧し、前記角部を塑性変形させることにより前記繰り返し形状を有するロータープレートに面取り面を成形する面取り工程とを備えてなるものである。
【０００６】
ここで、前記面取り工程後に、前記繰り返し形状を構成している凸部先端側の一部を、前記ロータープレートの回転中心と同心の円の円弧に合わせて機械加工し、その角部に前記金型による面取り面に連続する面取り面を削成する外周削成工程とを備えてなると好ましい。
【０００７】
また、前記面取り工程及び前記外周削成工程の間に、前記ロータープレートの制動表面及び制動裏面を硬化させるための熱処理を行う熱処理工程を備えてなると好ましい。
【０００８】
さらに、前記面取り工程では、前記外周プレス工程のプレス成形により前記ロータープレートの外周縁の角部がだれていない側の角部のみに対して、前記金型により面取り面を成形すると好ましい。
【０００９】
さらにまた、前記面取り工程が、前記外周プレス工程で成形された繰り返し形状を有するロータープレートの外周縁の角部に、前記繰り返し形状に対応して前記ロータープレート全周にわたり前記角部に当接する斜面を設けた金型を押圧し、前記角部を塑性変形させることにより前記繰り返し形状を有するロータープレート全周にわたって面取り面を成形するものであると好ましい。
【００１０】
また、前記面取り面の面取り長さを、前記外周プレス工程による前記ロータープレートの外周縁の角部のだれの大きさに合わせてなると好ましい。
【００１１】
さらに、前記ブレーキディスクの製造方法において、前記ロータープレートの外周縁の角部からブレーキパッド当接面方向の面取り長さ及び該角部から外周端面方向の面取り長さを０．１ｍｍ以上２．０ｍｍ以下、好ましくは０．１ｍｍ以上１．０ｍｍ以下、より好ましくは０．２ｍｍ以上０．７ｍｍ以下とするとよい。
【００１２】
本発明に係るブレーキディスクは、前記課題解決のために、車輪と一体に回転するブレーキディスクであって、前記ブレーキディスクのロータープレートの外周縁に径方向に凹凸する凹凸部を周方向に沿って繰り返して形成し、前記凹凸部の角部にプレス成形により面取り面を設けてなるものである。
【００１３】
ここで、前記凹凸部の凸部の先端部に、凸部先端側の一部を前記ロータープレートの回転中心と同心の円の円弧に合わせて削成してなる削成外周面を形成し、この削成外周面の角部に削成により形成した面取り面を、前記プレス成形による面取り面に連続させて設けてなると好ましい。
【００１４】
また、前記凹凸部をプレス成形により形成し、凹凸部の角部がだれていない面側にプレスによる面取り面を形成し、凹凸部の角部がだれている面側を前記車輪に対する取付け面とすると好ましい。
【００１５】
さらに、前記面取り面の面取り長さを、前記プレス成形による前記ロータープレートの外周縁の角部のだれの大きさに合わせてなると好ましい。
【００１６】
さらにまた、前記ブレーキディスクにおいて、前記ロータープレートの外周縁の角部からブレーキパッド当接面方向の面取り長さ及び該角部から外周端面方向の面取り長さを０．１ｍｍ以上２．０ｍｍ以下、好ましくは０．１ｍｍ以上１．０ｍｍ以下、より好ましくは０．２ｍｍ以上０．７ｍｍ以下とするとよい。
【発明の効果】
【００１７】
本発明に係るブレーキディスクの製造方法は、車輪と一体に回転するブレーキディスクの製造方法であって、前記ブレーキディスクのロータープレートの外周形状を、プレス成形により径方向の凹凸の繰り返し形状とする外周プレス工程と、前記外周プレス工程で成形された繰り返し形状を有するロータープレートの外周縁の角部に、前記繰り返し形状に対応して前記角部に当接する斜面を設けた金型を押圧し、前記角部を塑性変形させることにより前記繰り返し形状を有するロータープレートに面取り面を成形する面取り工程とを備えてなるものである。したがって、前記外周プレス工程により、プレス装置を用いて前記径方向の凹凸の繰り返し形状を加工できると共に加工時間を短縮できるため、放熱性向上、軽量化、慣性モーメントの低減及び製造コストの上昇の抑制が可能なブレーキディスクを実現することができる。また、前記面取り工程により、プレス装置を用いて前記繰り返し形状を有するロータープレートに面取り面を成形できると共に加工時間を短縮できるため、取り扱い時の安全性向上及び製造コストの抑制が可能なブレーキディスクを実現することができる。さらに、該面取り面を形成することにより該ブレーキディスクに押圧されるブレーキパッドの磨耗量を抑制することになるので、制動性能を維持向上することができる。さらにまた、前記凹凸の繰り返し形状及び面取り面の外観により意匠性の向上が可能なブレーキディスクを実現することができる。
【００１８】
また、前記面取り工程後に、前記繰り返し形状を構成している凸部先端側の一部を、前記ロータープレートの回転中心と同心の円の円弧に合わせて機械加工し、その角部に前記金型による面取り面に連続する面取り面を削成する外周削成工程とを備えてなるものである。したがって、前記外周削成工程により、旋盤等を用いて前記凸部先端側の一部等を加工できると共に加工時間を短縮できるため、製造コストの抑制を図りつつ前記ロータープレートの最大外径部分の形状精度及び回転時の振れ精度を向上することができる。また、前記機械加工による高精度加工により、ブレーキパッドの磨耗量の抑制効果と意匠性をさらに向上することができる。
【００１９】
さらに、前記面取り工程及び前記外周削成工程の間に、前記ロータープレートの制動表面及び制動裏面を硬化させるための熱処理を行う熱処理工程を備えてなるので、前記ロータープレートの耐磨耗性向上により、ディスクブレーキ装置の長期にわたる信頼性を向上することができる。
【００２０】
さらにまた、前記面取り工程では、前記外周プレス工程のプレス成形により前記ロータープレートの外周縁の角部がだれていない側の角部のみに対して、前記金型により面取り面を成形するので、前記ロータープレートの取り扱い時の安全性を確保しつつ生産性を向上して製造コストの上昇をさらに抑制することができる。
【００２１】
また、前記面取り工程が、前記外周プレス工程で成形された繰り返し形状を有するロータープレートの外周縁の角部に、前記繰り返し形状に対応して前記ロータープレート全周にわたり前記角部に当接する斜面を設けた金型を押圧し、前記角部を塑性変形させることにより前記繰り返し形状を有するロータープレート全周にわたって面取り面を成形するものであるので、製造コストの上昇をさらに抑制することができる。
【００２２】
さらに、前記面取り面の面取り長さを、前記プレス成形による前記ロータープレートの外周縁の角部のだれの大きさに合わせてなると、統一した印象により意匠性を高めることができる。また、該製造方法により製造されるブレーキディスクに押圧される両側のブレーキパッドの磨耗量を減少させることができると共に、該両側のブレーキパッドの磨耗量を略均一にすることができる。
【００２３】
さらにまた、前記ブレーキディスクの製造方法において、前記ロータープレートの外周縁の角部からブレーキパッド当接面方向の面取り長さ及び該角部から外周端面方向の面取り長さを０．１ｍｍ以上２．０ｍｍ以下、好ましくは０．１ｍｍ以上１．０ｍｍ以下、より好ましくは０．２ｍｍ以上０．７ｍｍ以下とすると、該製造方法によって製造されるブレーキディスクに押圧されるブレーキパッドの偏磨耗の抑制効果及び磨耗量の減少効果が大きくなる。
【００２４】
本発明に係るブレーキディスクは、車輪と一体に回転するブレーキディスクであって、前記ブレーキディスクのロータープレートの外周縁に径方向に凹凸する凹凸部を周方向に沿って繰り返して形成し、前記凹凸部の角部にプレス成形により面取り面を設けてなるので、放熱性向上、軽量化、慣性モーメントの低減及び取り扱い時の安全性向上を図ることができると共に製造コストの上昇を抑制することができる。また、該面取り面を形成することにより該ブレーキディスクに押圧されるブレーキパッドの磨耗量を減少させることができる。さらに、前記凹凸の繰り返し形状及び面取り面の印象により意匠性の向上を図ることができる。
【００２５】
また、前記凹凸部の凸部の先端部に、凸部先端側の一部を前記ロータープレートの回転中心と同心の円の円弧に合わせて削成してなる削成外周面を形成し、この削成外周面の角部に削成により形成した面取り面を、前記プレス成形による面取り面に連続させて設けてなるので、放熱性向上、軽量化、慣性モーメントの低減及び取り扱い時の安全性向上を図ることができると共に製造コストの上昇を抑制することができる。また、前記凹凸の繰り返し形状及び面取り面の印象により意匠性の向上を図ることができる。さらに、前記ロータープレートの最大外径部分の形状精度及び回転時の振れ精度を向上することができる。
【００２６】
さらに、前記凹凸部をプレス成形により形成し、凹凸部の角部がだれていない面側にプレスによる面取り面を形成し、凹凸部の角部がだれている面側を前記車輪に対する取付け面となしたので、製造コストの上昇をさらに抑制することができる。
【００２７】
さらにまた、前記面取り面の面取り長さを、前記プレス成形による前記ロータープレートの外周縁の角部のだれの大きさに合わせてなると、統一した印象により意匠性を高めることができる。また、該ブレーキディスクに押圧される両側のブレーキパッドの磨耗量を減少させることができると共に、該両側のブレーキパッドの磨耗量を略均一にすることができる。
【００２８】
また、前記ブレーキディスクにおいて、前記ロータープレートの外周縁の角部からブレーキパッド当接面方向の面取り長さ及び該角部から外周端面方向の面取り長さを０．１ｍｍ以上２．０ｍｍ以下、好ましくは０．１ｍｍ以上１．０ｍｍ以下、より好ましくは０．２ｍｍ以上０．７ｍｍ以下とすると、該ブレーキディスクに押圧されるブレーキパッドの偏磨耗の抑制効果及び磨耗量の減少効果が大きくなる。
【発明を実施するための最良の形態】
【００２９】
図１は、本発明の実施の形態に係るブレーキディスクの構成例を示す斜視図であり、フローティングブレーキディスクの場合を示している。ブレーキディスク１は、アウターロータープレート２、図示しない車輪への取付け孔３ａ，３ａ・・・を備えたインナーロータープレート３、アウターロータープレート２及びインナーロータープレート３を連結するフローティングピン４，４・・・により構成される。インナーロータープレート３のみが、取付け孔３ａ，３ａ・・・を用いてボルトにより前記車輪に固定され、アウターロータープレート２は前記車輪に固定されない。このように、前記車輪への取付け部分であるインナーロータープレート３と図示しないブレーキパッドが押圧される摩擦部分であるアウターロータープレート２とが独立しているため、前記摩擦熱によるアウタープレート２の伸縮変形による反りが抑制される。したがってブレーキパッドによるアウターロータープレート２の押圧動作が安定すること等の特徴を有するものである。
【００３０】
また、アウターロータープレート２及びフローティングピン４，４・・・は、例えばステンレス等の金属製であり、インナーロータープレート３は、例えばアルミニウム合金等の金属製である。前記のとおりインナーロータープレート３は、前記摩擦熱の影響を受けにくいため、軽量化を主目的として熱膨張率が比較的大きいアルミニウム合金を用いることができる。なお、アウターロータープレート２の寸法は、例えば、外径は３００ｍｍ程度、厚さは６ｍｍ程度である。さらに、アウターロータープレート２の前記ブレーキパッドの当接面である制動表面２ａ及び制動裏面２ｂには、耐磨耗性向上のために該制動面を硬化させる高周波焼入れ等の熱処理が施されている。
【００３１】
図２は、アウターロータープレート２の外周形状の説明図である。また、図３は、アウターロータープレートの外周部を拡大して示した斜視図である。アウターロータープレート２の外周形状５は、径方向の凹凸（凹部５ａ及び凸部５ｂ）の繰り返し形状であると共に、図２のように、前記車輪の回転中心、すなわちアウターロータープレート２及びインナーロータープレート３の回転中心と同心の円Ａの円弧と一部が重なっている。アウターロータープレート２のこのような形状により、表面積の増大による放熱性向上、軽量化及び慣性モーメントの低減並びに意匠性向上が図られている。なお、アウターロータープレート２の外周の径方向の凹凸の繰り返し形状における該凹凸のピッチ（凹凸の個数）、凹部５ａの深さ等は、前記表面積の増大による放熱性向上、軽量化及び慣性モーメントの低減並びに意匠性向上の観点から、適宜設定することができる。また、アウターロータープレートの内周形状を径方向の凹凸の繰り返し形状としてもよい。
【００３２】
また、アウターロータープレート２の外周縁の角部、すなわち、前記車輪に対向する面である制動裏面２ｂの外周側の角部及び前記制動裏面２ｂの反対面である制動表面２ａの外周側の角部には、少なくとも前記制動表面２ａの外周側の角部に面取り面６が形成されている。このような面取り面６の形成により、取り扱い時の安全性を高めることができると共に、後述するようにブレーキパッドの磨耗量を減少させることができる。また、前記制動表面２ａの角部になるべく均一な面取り面６を成形することは、特に自動二輪等に用いられた場合において外部から良く見える部分であるため、意匠性の観点からも好ましいといえる。さらに、アウターロータープレート２には、前記車輪の回転軸方向の多数の抜き孔２ｃ，２ｃ・・・が形成されており、表面積の増大による放熱性の向上、軽量化、慣性モーメントの低減による制動性の向上、磨耗屑及び泥よけ性の向上、並びに意匠性の向上が図られている。
【００３３】
図４は、本発明の実施の形態に係るアウターロータープレートの製造工程例を示す説明図である。先ず、例えばステンレス製の板状素材をプレスにより打ち抜いてアウターロータープレート２の基となる円板ＣＰを成形する（工程（ａ））。次に、前記円板ＣＰの内側をプレスにより打ち抜いてアウターロータープレート２の内径側の形状を成形する（工程（ｂ））。次に、前記円板ＣＰにアウターロータープレート２の前記抜き孔２ｃ，２ｃ・・・をプレス成形する（工程（ｃ））。次に、アウターロータープレート２の外周形状５、すなわち径方向の凹凸（凹部５ａ及び凸部５ｂ）の繰り返し形状である、例えば略波形又は略台形の繰り返し形状をプレス成形する（外周プレス工程（ｄ））。
【００３４】
図５は、アウターロータープレート２の外周縁の角部２ｄへの面取り面６の成形方法を示す断面図であり、図５（ａ）は面取り面６の成形前の状態、図５（ｂ）は面取り面６の成形後の状態、図５（ｃ）は面取り面まわりの諸元を示している。また、図６は、アウターロータープレート２の外周縁の角部に面取り面６を成形するための金型の部分断面斜視図である。アウターロータープレート２の外周縁の角部２ｄに面取り面６を成形するための金型７には、図４の外周プレス工程（ｄ）により成形されたロータープレートの前記径方向の凹凸の繰り返し形状に対応してアウターロータープレート２全周にわたり前記角部２ｄに当接する斜面７ａが設けられている。
【００３５】
したがって、前記繰り返し形状を有するアウターロータープレート２の外周縁の角部２ｄに、前記繰り返し形状に対応してアウターロータープレート２全周にわたり前記角部２ｄに前記金型７の斜面７ａを押圧し、前記角部２ｄを塑性変形させることにより前記繰り返し形状を有するアウターロータープレート全周にわたって面取り面６を一括成形することができる（図４中の面取り工程（ｅ））。
【００３６】
なお、この場合において、金型７の斜面７ａの傾斜角度を変えることにより面取り角度を変えることができ、一般的な４５°面取りの他、３０°面取り、６０°面取り等の面取り面６を容易に成形することができる。例えば、４５°面取りの場合では前記斜面７ａの傾斜角度を４５°とすればよく、アウターロータープレート２の外周縁の角部２ｄから制動表面２ａ方向（ブレーキパッドの当接面方向）の面取り長さＬ１及び該角部２ｄから外周端面Ｅ方向の面取り長さＬ２がアウターロータープレート２の外周縁の角部のだれ２ｅに相当する程度であるか又は０．１ｍｍないし２ｍｍ程度の面取り面６を容易に成形することができる。
【００３７】
このように、図４の外周プレス工程（ｄ）後の、アウターロータープレート２の複雑な外径形状に対して、図４の面取り工程（ｅ）により、面取り面６を一括成形してもよいし、又は、複数回に分けて成形してもよく、加工時間及び加工コストを大幅に低減することができる。
【００３８】
また、金型７の斜面７ａは、必ずしもアウターロータープレート２の外周縁の角部２ｄ全周にわたる傾斜面である必要はなく、前記全周の一部のみに当接するものであってもよい。ただし、金型７の斜面７ａがアウターロータープレート２の外周縁の角部２ｄ全周にわたる傾斜面である場合は、前記のとおり面取り面６の成形が可能であるため、加工時間及び加工コストの低減効果が大きい。さらに、金型７は一体である必要はなく、分割金型であってもよい。
【００３９】
前記面取り面６は、アウターロータープレート２の制動表面２ａ及び制動裏面２ｂの両面に形成してもよいが、図５のように、先行するプレス加工でだれ２ｅが生じている場合は、当該だれ部がアウターロータープレート２取り扱い時の安全性を阻害しないので、当該だれ部の面取りは省略してもよい。ただし、前記のとおり、アウターロータープレート２の制動表面２ａの角部には必ず面取り面６を成形する。したがって、前記だれ２ｅをアウターロータープレート２の制動裏面２ｂに生じるようにすれば、図４の面取り工程（ｅ）による面取り面６の成形はアウターロータープレート２の制動表面２ａの角部のみでよく、さらに加工時間及び加工コストを低減することができる。しかも取り扱い時における安全面及び意匠面で劣ることもない。
【００４０】
次に、アウターロータープレート２の制動表面２ａ及び制動裏面２ｂ両面の前記ブレーキパッド当接面には、耐磨耗性向上のために該制動面を硬化させる高周波焼入れ等の熱処理を施す。この熱処理工程は図４中には示していない。
【００４１】
図７は、前記熱処理後のアウターロータープレート２の外周形状の凸部５ｂの先端側の一部を旋削、切削又は研削等の機械加工により削成する例を示す断面図である。前記熱処理後のアウターロータープレート２の外周形状の凸部５ｂの一部は、前記アウターロータープレート２の回転中心と同心の円Ａの円弧（図２参照。）に合わせて機械加工により削成され、削成外周面８が形成される。また、該機械加工により生じた角部も機械加工により削成され、図７のように面取り面６ａ，６ａが形成される（図４の外周削成工程（ｆ））。
【００４２】
このように前記熱処理後に、アウターロータープレート２の外周形状の凸部５ｂの先端側の一部の削成を行うことにより、前記熱処理により生じたひずみ変形分も含めて機械加工されるため、加工後のアウターロータープレート２の外周形状の最大外径部分の形状精度及び回転時の振れ精度を向上することができる。また、図４の面取り工程（ｅ）により成形した面取り面６と同様の面取り面６ａを、前記凸部５ｂの先端側の一部の削成により面取り面が無くなった部分に形成することができるため、取り扱い時の安全性の向上及び前記面取り面６及び６ａの統一した印象により意匠性を高めることができる。また、図４の外周削成工程（ｆ）は、前記アウターロータープレート２の回転中心と同心の円Ａの円弧（図２参照。）に合わせて行う機械加工であり、簡単な形状の加工であるため、加工時間及び加工コストを抑制することができる。特に旋削によれば、加工時間及び加工コストの抑制効果が高い。
【００４３】
図８は、アウターロータープレートの外周縁の角部に形成する面取り面の面取り長さによるブレーキパッドの磨耗量の変化を示す図であり、本測定は、自動車技術者協会規格の耐久強度試験（JASO C 419-89の7.2項）に準ずるものである（設定減速度は１．２Ｇ）。また、ディスク１のアウターロータープレート２の制動表面２ａ及び制動裏面２ｂに当接する両側のブレーキパッドの磨耗量の測定位置は、該両側のブレーキハッドがアウターロータープレート２の凹部５ａを挟む位置として、アウターロータープレート２の回転方向に対してブレーキパッドの入側、出側及び該入側と出側の中央それぞれの径方向の内側、中央及び外側とした。すなわち、前記アウターロータープレート２の入側、中央及び出側それぞれの径方向３点を測定位置とし、前記両側のブレーキパッドの計１８点の測定を行った。図８のブレーキパッド磨耗量は、前記入側、中央及び出側の制動表裏面の測定結果を示している。
【００４４】
なお、該磨耗量の測定においては、ブレーキパッドの当接面方向の面取り長さＬ１及び該角部から外周端面Ｅ方向の面取り長さＬ２（図５（ｃ）参照。）を０．３ｍｍ（Ｃ０．３），０．５ｍｍ（Ｃ０．５），０．７ｍｍ（Ｃ０．７），１．０ｍｍ（Ｃ１．０），１．５ｍｍ（Ｃ１．５）と変化させ、該凹部５ａに面取り面を形成しない場合（Ｃ０）も含めて測定した結果を示している。
【００４５】
図８より、面取り面を形成しない場合（Ｃ０）と比較して、前記面取り長さを０．３ｍｍとした場合（Ｃ０．３）で、２０％ないし３０％程度の磨耗量の減少効果があり、前記面取り長さを０．５ｍｍとした場合（Ｃ０．５）で、３０％ないし４５％程度の磨耗量の減少効果があることがわかる。また、前記面取り長さが０．５ｍｍより大きく、０．７ｍｍ（Ｃ０．７），１．０ｍｍ（Ｃ１．０）、１．５ｍｍ（Ｃ１．５）となるとブレーキパッドの磨耗量の減少効果が略頭打ちになることがわかる。なお、前記面取り長さが大きすぎると（例えば、前記面取り長さが２．０ｍｍより大きくなると）、ブレーキパッドの幅よりも該ブレーキパッドに当接するアウターロータープレート２の制動表裏面の幅が狭くなり、ブレーキパッドの偏磨耗が起きるので、望ましくない傾向にある。
【００４６】
このような面取り面形成によるブレーキパッドの磨耗量の減少効果及び意匠性向上効果並びにパッドの偏磨耗等を考慮して、該面取り面の面取り長さを、アウターロータープレートの外周縁の角部からブレーキパッド当接面方向の面取り長さＬ１及び該角部から外周端面方向の面取り長さＬ２を０．１ｍｍ以上２．０ｍｍ以下とするのが好ましい。また、該面取り長さＬ１及びＬ２を、前記外周プレス工程によるアウターロータープレート２の外周縁の角部のだれに相当する程度として、該だれの大きさに合わせてもよい。このように、前記面取り長さを前記ロータープレートの外周縁の角部のだれの大きさに合わせれば、統一した印象により意匠性を高めることができる。また、該製造方法により製造されるブレーキディスクに押圧される両側のブレーキパッドの磨耗量を減少させることができると共に、該両側のブレーキパッドの磨耗量を略均一にすることができる。
【００４７】
また、図８に示したブレーキパッドの磨耗量の測定結果より、主にブレーキパッドの磨耗量を効果的に減少させるという観点から、該面取り面の面取り長さを、アウターロータープレートの外周縁の角部からブレーキパッド当接面方向の面取り長さＬ１及び該角部から外周端面方向の面取り長さＬ２を、０．１ｍｍ以上１．０ｍｍ以下とするのが好ましく、０．２ｍｍ以上０．７ｍｍ以下とするのがより好ましい。
【００４８】
なお、以上の説明においては、図４の外周削成工程（ｆ）により機械加工を行う場合を説明したが、要求される仕様等によっては外周削成工程（ｆ）の機械加工を行わずに、外周プレス工程（ｄ）によるプレス加工によってアウターロータープレートの外形を所望の最終形状に成形してもよい。
【００４９】
また、以上の説明においては、フローティングブレーキディスクの場合について説明したが、本発明はフローティングブレーキディスクへの適用に限定されるものではなく、アウターロータープレート及びインナーロータープレートを分離・独立させずに一体のロータープレートとした、リジッドブレーキディスクに適用することもできる。
【図面の簡単な説明】
【００５０】
【図１】本発明の実施の形態に係るブレーキディスクの構成例を示す斜視図であり、フローティングブレーキディスクの場合を示している。
【図２】アウターロータープレートの外周形状の説明図である。
【図３】アウターロータープレートの外周部を拡大して示した斜視図である。
【図４】本発明の実施の形態に係るアウターロータープレートの製造工程例を示す説明図である。
【図５】アウターロータープレートの外周縁の角部への面取り面の成形方法を示す断面図であり、（ａ）は面取り面の成形前の状態、（ｂ）は面取り面の成形後の状態、（ｃ）は面取り面まわりの諸元を示している。
【図６】アウターロータープレートの外周縁の角部に面取り面を成形するための金型の部分断面斜視図である。
【図７】熱処理後に行うアウターロータープレートの外周形状の凸部の先端側の一部を機械加工により削成する例を示す断面図である。
【図８】アウターロータープレートの外周縁の角部に形成する面取り面の面取り長さによるブレーキパッドの磨耗量の変化を示す図である。
【符号の説明】
【００５１】
１      ブレーキディスク    ２      アウターロータープレート
２ａ    制動表面            ２ｂ    制動裏面
２ｃ    抜き孔              ２ｄ    角部
３      インナーロータープレート
３ａ    取付け孔            ４      フローティングピン
５      外周形状            ５ａ    凹部
５ｂ    凸部                ６      面取り面
６ａ    面取り面            ７      金型
７ａ    斜面                ８      削成外周面
【図１】
2008232441.tif 000003
【図２】
2008232441.tif 000004
【図３】
2008232441.tif 000005
【図４】
2008232441.tif 000006
【図５】
2008232441.tif 000007
【図６】
2008232441.tif 000008
【図７】
2008232441.tif 000009
【図８】
2008232441.tif 000010
【手続補正書】
【提出日】平成20年5月23日(2008.5.23)
【手続補正１】
【補正対象書類名】特許請求の範囲
【補正対象項目名】全文
【補正方法】変更
【補正の内容】
【特許請求の範囲】
【請求項１】
車輪と一体に回転するブレーキディスクの製造方法であって、前記ブレーキディスクのロータープレートの外周形状を、プレス成形により径方向の凹凸の繰り返し形状とする外周プレス工程と、前記外周プレス工程で成形された繰り返し形状を有するロータープレートの外周縁の角部に、前記繰り返し形状に対応して前記角部に当接する斜面を設けた金型を押圧し、前記角部を塑性変形させることにより前記繰り返し形状を有するロータープレートに面取り面を成形する面取り工程とを備えてなるブレーキディスクの製造方法。
【請求項２】
請求項１において、前記面取り工程では、前記外周プレス工程のプレス成形により前記ロータープレートの外周縁の角部がだれていない側の角部のみに対して、前記金型により面取り面を成形するブレーキディスクの製造方法。
【請求項３】
請求項１又は２において、前記面取り工程が、前記外周プレス工程で成形された繰り返し形状を有するロータープレートの外周縁の角部に、前記繰り返し形状に対応して前記ロータープレート全周にわたり前記角部に当接する斜面を設けた金型を押圧し、前記角部を塑性変形させることにより前記繰り返し形状を有するロータープレート全周にわたって面取り面を成形するものであるブレーキディスクの製造方法。
【請求項４】
請求項１〜３のいずれかにおいて、前記面取り面の面取り長さを、前記外周プレス工程による前記ロータープレートの外周縁の角部のだれの大きさに合わせてなるブレーキディスクの製造方法。
【請求項５】
請求項１〜３のいずれかにおいて、前記ロータープレートの外周縁の角部からブレーキパッド当接面方向の面取り長さ及び該角部から外周端面方向の面取り長さを０．１ｍｍ以上２．０ｍｍ以下としてなるブレーキディスクの製造方法。
【請求項６】
請求項１〜３のいずれかにおいて、前記ロータープレートの外周縁の角部からブレーキパッド当接面方向の面取り長さ及び該角部から外周端面方向の面取り長さを０．１ｍｍ以上１．０ｍｍ以下としてなるブレーキディスクの製造方法。
【請求項７】
請求項１〜３のいずれかにおいて、前記ロータープレートの外周縁の角部からブレーキパッド当接面方向の面取り長さ及び該角部から外周端面方向の面取り長さを０．２ｍｍ以上０．７ｍｍ以下としてなるブレーキディスクの製造方法。
【請求項８】
車輪と一体に回転するブレーキディスクであって、前記ブレーキディスクのロータープレートの外周縁に径方向に凹凸する凹凸部を周方向に沿って繰り返して形成し、前記凹凸部の角部にプレス成形により面取り面を設けてなるブレーキディスク。
【請求項９】
請求項８において、前記凹凸部をプレス成形により形成し、凹凸部の角部がだれていない面側にプレスによる面取り面を形成し、凹凸部の角部がだれている面側を前記車輪に対する取付け面となしたブレーキディスク。
【請求項１０】
請求項８又は９において、前記面取り面の面取り長さを、前記プレス成形による前記ロータープレートの外周縁の角部のだれの大きさに合わせてなるブレーキディスク。
【請求項１１】
請求項８又は９において、前記ロータープレートの外周縁の角部からブレーキパッド当接面方向の面取り長さ及び該角部から外周端面方向の面取り長さを０．１ｍｍ以上２．０ｍｍ以下としてなるブレーキディスク。
【請求項１２】
請求項８又は９において、前記ロータープレートの外周縁の角部からブレーキパッド当接面方向の面取り長さ及び該角部から外周端面方向の面取り長さを０．１ｍｍ以上１．０ｍｍ以下としてなるブレーキディスク。
【請求項１３】
請求項８又は９において、前記ロータープレートの外周縁の角部からブレーキパッド当接面方向の面取り長さ及び該角部から外周端面方向の面取り長さを０．２ｍｍ以上０．７ｍｍ以下としてなるブレーキディスク。